(57)【特許請求の範囲】
【請求項１】
記録媒体に記録された複数のシーンを再生する再生装置であって、
編集装置で生成された編集プログラムを受信する受信手段と、
前記編集プログラムを保持する保持手段と、
前記保持手段が保持する前記編集プログラムに従って、前記再生装置の再生動作及び該再生装置で再生されたシーンを記録する記録装置の記録動作を連動させて制御する制御手段とを有し、
前記制御手段は、各シーンの再生順序の制御が可能な前記編集プログラムに従って、前記再生装置の再生動作を制御するとともに前記再生動作に連動させて前記記録装置への制御信号を送信することを特徴とする再生装置。
【請求項２】
前記編集プログラムの生成に必要な補助情報を前記編集装置に送信する送信手段をさらに有することを特徴とする請求項１に記載の再生装置。
【請求項３】
前記補助情報は、ユーザによって選択されたシーンの開始点及び終了点に関する情報を含むことを特徴とする請求項２に記載の再生装置。
【請求項４】
前記受信手段と、前記送信手段とを有するデジタルインターフェースをさらに有することを特徴とする請求項２または３に記載の再生装置。
【請求項５】
前記再生装置は、カメラ部を有する装置であることを特徴とする請求項１〜４の何れかに記載の再生装置。
【請求項６】
前記編集プログラムに従って、前記再生装置の再生動作及び前記記録装置の記録動作を連動させて制御する処理は、前記編集装置が前記再生装置から切り離された状態で、前記記録装置が前記再生装置に接続された後に実行される処理であることを特徴とする請求項１〜５の何れかに記載の再生装置。
【請求項７】
記録媒体に記録された複数のシーンを再生する再生装置において実行される編集方法であって、
編集装置で生成された編集プログラムを受信する受信工程と、
前記編集プログラムを保持手段に保持させる保持工程と、
前記保持手段が保持する前記編集プログラムに従って、前記再生装置の再生動作及び該再生装置で再生されたシーンを記録する記録装置の記録動作を連動させて制御する制御工程とを有し、
前記制御工程は、各シーンの再生順序の制御が可能な前記編集プログラムに従って、前記再生装置の再生動作を制御するとともに前記再生動作に連動させて前記記録装置への制御信号を送信することを特徴とする編集方法。
【請求項８】
前記編集プログラムの生成に必要な補助情報を前記編集装置に送信する送信工程をさらに有することを特徴とする請求項７に記載の編集方法。
【請求項９】
前記補助情報は、ユーザによって選択されたシーンの開始点及び終了点に関する情報を含むことを特徴とする請求項８に記載の編集方法。
【請求項１０】
前記受信工程は、前記編集プログラムをデジタルインターフェースを介して受信し、前記送信工程は、前記補助情報を前記デジタルインターフェースを介して前記編集装置に送信することを特徴とする請求項８または９に記載の編集方法。
【請求項１１】
前記再生装置は、カメラ部を有する装置であることを特徴とする請求項７〜１０の何れかに記載の編集方法。
【請求項１２】
前記編集プログラムに従って、前記再生装置の再生動作及び前記記録装置の記録動作を連動させて制御する処理は、前記編集装置が前記再生装置から切り離された状態で、前記記録装置が前記再生装置に接続された後に実行される処理であることを特徴とする請求項７〜１１の何れかに記載の編集方法。
【発明の詳細な説明】
【０００１】
【発明の属する技術分野】
本発明は、画像情報などの編集に好適な再生装置及び編集方法に関する。
【０００２】
【従来の技術】
近年、記録媒体上に記録された画像信号や音声信号を再生装置から別の記録装置にダビング編集を行う場合、再生装置と記録装置とを編集装置に接続して行う方法が一般的であった。
【０００３】
従来の編集装置を中心とした編集システムにおいて、編集装置は、再生装置により再生された画像情報の中から希望のシーンを選択し、各シーンをユーザの指示通りに記録装置にダビング編集するように操作していた。このような編集装置では、ユーザの希望する複数のシーンに関する情報、例えば、タイムコード等の記録媒体に記録された画像情報の位置を示す位置情報を用いて編集用のプログラムを作成し、この編集プログラムを基に編集装置自身がダビング編集作業を実行していた。
【０００４】
更に、通常複雑で高度な編集作業を簡単に行うためには、パソコン（パーソナルコンピュータ）を編集装置として用いるのが一般的である。実際に、パソコンを編集装置として機能させるアプリケーションも多数存在している。このような編集システムでは、編集の対象となったシーンの画像情報（例えば、開始点と終了点のタイムコード）とを関連付けてパソコンに取り込み、モニタ上に表示させた該画像情報をドラッグ＆ドロップで並べ替えるだけで、編集プログラムの作成を簡単に行える。
【０００５】
【発明が解決しようとする課題】
しかしながら、上述したパソコンを用いた編集システムでは、ダビング編集作業の実行時に、再生装置と記録装置をパソコンに接続するために、これらの装置をパソコンの近くに配置する必要が生じる。そのため、記録装置とパソコンが別の部屋等の離れた位置に配置されている場合等は、パソコンによるダビング編集のプログラムは困難であるという問題点があった。
【０００６】
本発明は、上述の問題点に鑑みてなされたものであり、記録装置と編集装置とが離れた場所に配置されている場合であっても、それらの装置を移動させることなく複雑で高度な編集を簡単に行える再生装置及び編集方法を提供することを目的とする。
【０００７】
【課題を解決するための手段】
本発明の再生装置は、記録媒体に記録された複数のシーンを再生する再生装置であって、編集装置で生成された編集プログラムを受信する受信手段と、前記編集プログラムを保持する保持手段と、前記保持手段が保持する前記編集プログラムに従って、前記再生装置の再生動作及び該再生装置で再生されたシーンを記録する記録装置の記録動作を連動させて制御する制御手段とを有し、前記制御手段は、各シーンの再生順序の制御が可能な前記編集プログラムに従って、前記再生装置の再生動作を制御するとともに前記再生動作に連動させて前記記録装置への制御信号を送信することを特徴とする。
【０００８】
本発明の編集方法は、記録媒体に記録された複数のシーンを再生する再生装置において実行される編集方法であって、編集装置で生成された編集プログラムを受信する受信工程と、前記編集プログラムを保持手段に保持させる保持工程と、前記保持手段が保持する前記編集プログラムに従って、前記再生装置の再生動作及び該再生装置で再生されたシーンを記録する記録装置の記録動作を連動させて制御する制御工程とを有し、前記制御工程は、各シーンの再生順序の制御が可能な前記編集プログラムに従って、前記再生装置の再生動作を制御するとともに前記再生動作に連動させて前記記録装置への制御信号を送信することを特徴とする。
【００４５】
【発明の実施の形態】
以下、本発明の好適な実施の形態について図面を参照して説明する。
【００４６】
（第１の実施の形態）
まず、本発明の第１の実施の形態について図１〜図６を用いて説明する。図１は、本発明の第１の実施の形態に係る再生装置と編集装置とを接続してなる編集システムにより編集プログラムを作成する際の構成を示すブロック図、、図２は、本発明の第１の実施の形態に係る再生装置におけるデジタル信号処理回路の構成を示すブロック図、図３は、本発明の第１の実施の形態に係る再生装置と編集装置とを接続した状態を示す図、図４は、本発明の第１の実施の形態に係る再生装置と記録装置とを接続してなる編集システムにより編集プログラムを作成する際の動作を説明するためのフローチャート、図５は、本発明の第１の実施の形態に係る再生装置と記録装置とを接続してなる編集システムによりダビング編集を行う場合の構成を示すブロック図、図６は、本発明の第１の実施の形態に係る再生装置と記録装置とを接続した状態を示す図である。
【００４７】
図１、図３、図５及び図６中、１は本発明の第１の実施の形態に係る再生装置であるカムコーダで、磁気テープ２、ドライブ回路３、デジタル信号処理回路４、Ａ（Ａｕｄｉｏ）／Ｖ（Ｖｉｄｅｏ）入出力部５、サブコード回路６、マイクロコンピュータを含む制御部７、デジタルＩ／Ｆ（インターフェース）８、操作部９、メモリ１０、リモコン（リモートコントロール）発光部１１、カメラ部１２を有している。
【００４８】
磁気テープ２は、カメラ部１２により撮影された画像信号及び音声信号を記録する記録媒体である。ドライブ回路３は、制御部７の命令により磁気テープ２の駆動を制御するものである。
【００４９】
デジタル信号処理回路４の構成については、図２を用いて詳細に説明する。同図に示すようにデジタル信号処理回路４は、記録再生処理回路２０１、メモリ２０２、誤り訂正処理回路（ＥＣＣ）２０３及び圧縮／伸長処理回路２０４を有している。記録再生処理回路２０１は、磁気テープ２上の所定のエリアに記録されたデジタル信号（画像信号、音声信号及び補助情報）の再生及びカメラ部１２から出力されたデジタル信号（画像信号及び音声信号）の記録を行うものである。メモリ２０２は、記録再生処理回路２０１及び圧縮／伸長処理回路２０４からの出力信号を一時的に保持するものである。誤り訂正処理回路（ＥＣＣ）２０３は、メモリ２０２にアクセスし、記録時においては、パリティデータを記録用のデジタル信号に付加すると共に、再生時には前記パリティデータを用いて再生信号中の誤りを訂正するものである。圧縮／伸長処理回路２０４は、カメラ部１２により撮影された画像信号と音声信号に周知の高能率圧縮符号化（例えば、直交変換処理後に可変長符号化）を行うと共に、記録再生処理回路２０１により再生された圧縮信号に対して伸長処理を行うものである。
【００５０】
図１及び図６に戻って説明する。両図において、Ａ／Ｖ入出力部５は、デジタル信号処理回路４から出力されたデジタル画像信号をアナログ変換し、外部機器に対して出力するインターフェースである。サブコード検出回路６は、磁気テープ２に記録された補助情報（例えば、タイムコード等の位置情報或いは記録媒体に記録された画像情報を特定するＩＤ情報等）を検出するものである。制御部７は、カムコーダ１全体の動作を制御するもので、図示しないマイクロコンピュータを有している。デジタルＩ／Ｆ（インターフェース）８は、制御部７からの情報信号と外部機器からの情報信号とを双方向に通信可能なデジタルインターフェースである。操作部９は、後述するモード切換スイッチの他に、記録、再生、一時停止、早送り、巻き戻し等のスイッチを有し、これらのスイッチの操作に応じた制御信号を制御部７に出力するものである。メモリ１０は、外部の編集装置により作成された編集プログラムを保持するもので、ＲＡＭ（ランダムアクセスメモリ）等により構成される。リモコン発光部１１は、赤外線を発光し、編集プログラムに応じた図６に示す記録装置１４の動作をコントロールするものである。
【００５１】
本実施の形態に係る再生装置であるカムコーダ１は、図１及び図３に示すように編集装置であるパソコン（パーソナルコンピュータ）１３、或いは図６及び図７に示すように記録装置である据置型ＶＴＲ（ビデオテープレコーダ）１４にそれぞれ接続することにより、編集システムを構成して編集作業を行うものである。ここで、パソコン１３は編集プログラムの作成を行い、据置型ＶＴＲ１４は編集プログラムに基づいて編集された情報の記録を行う。
【００５２】
図１、図３、図６及び図７において、１５はアナログ信号をパソコン１３または据置型ＶＴＲ１４に伝えるためのＡ／Ｖ（オーディオ／ビデオ）信号ケーブルである。また、図１及び図３において、１６は先に説明した位置情報をパソコン１３と通信するためのデジタルＩ／Ｆ（インターフェース）ケーブルで、本実施の形態ではＲＳ２３２Ｃケーブルを用いている。更に、図６及び図７において、１７は据置型ＶＴＲ１４をリモートコントロールするためにリモコン発光部１１から出力される制御信号である。
【００５３】
次に、本実施の形態に係る再生装置であるカムコーダ１を用いた編集システムの動作について説明する。
【００５４】
まず、本実施の形態に係る再生装置であるカムコーダ１を用いた編集システムにより編集プログラムを作成する場合の動作について、図４及び図５のフローチャートに基づき説明する。
【００５５】
初めにユーザは、図３に示すようにカムコーダ１とパソコン１３とを、Ａ／Ｖ信号ケーブル１５及びデジタルＩ／Ｆケーブル１６を介して接続することにより、編集システムを構成し、カムコーダ１及びパソコン１３の初期設定をそれぞれ行う（図５のステップＳ５０１及びステップＳ５０２）。例えば、カムコーダ１では、動作モードが「編集プログラム作成モード」となるように操作部９のモード切換スイッチを操作する。ここで、本実施の形態の「編集プログラム作成モード」は、カムコーダ１により指定されたシーン情報に基づいてパソコン１３が実際の編集動作を指示する編集プログラムを作成し、その作成後に該編集プログラムをカムコーダ１の具備する編集プログラム用のメモリに保持させる動作モードである。
【００５６】
次にユーザは、カムコーダ１により撮影され、磁気テープ２に記録された画像情報の中から希望する複数のシーンを選択するために、磁気テープ２に記録された画像情報を再生する。この再生中に希望するシーンがあった場合、そのシーンが開始される時点で操作部９を操作し（図４のステップＳ４０１）、開始点を指定する（図４のステップＳ４０２）。制御部７は、前記図４のステップＳ４０２において開始点が指定された時点で、カムコーダ１の再生動作をスチル（ＳＴＩＬＬ）モードとし、デジタル信号処理回路４に開始点の画像（１フレーム分）を連続信号として再生するように制御する。この再生信号は、Ａ／Ｖ入出力部５からＡ／Ｖ信号ケーブル１５を介してパソコン１３に出力される（図４のステップＳ４０３）。パソコン１３では、Ａ／Ｖ信号ケーブル１５を介して入力された画像情報をパソコン１３の記録媒体（例えば、ハードディスク等）に保持する（図５のステップＳ５０３）。
【００５７】
一方、サブコード検出回路６は、操作部９により指定された希望シーンの開始点が指示された時点の画像に関する情報、即ち、磁気テープ２に記録されているタイムコード等の位置情報を含む補助情報を検出する。制御部７は、検出された補助情報をデジタルＩ／Ｆ８からデジタルＩ／Ｆケーブル１６を介してパソコン１３に出力する（図４のステップＳ４０３）。パソコン１３では、デジタルＩ／Ｆケーブル１６を介して入力された補助情報を、該補助情報に対応する画像情報に関連付けて記録媒体に保持する（図５のステップＳ５０３）。
【００５８】
次にユーザは、カムコーダ１の操作部９を操作し、希望シーンの終了点を指示する（図４のステップＳ４０２）。制御部７は、前述の希望シーンの開始点での処理と同様に、終了点における画像情報とそれに対応する位置情報（タイムコード等）をそれぞれパソコン１３に出力する。
【００５９】
以上のようにして、ユーザは希望するシーンの情報をパソコン１３に入力することができる（図５のステップＳ５０３）。
【００６０】
上述した編集動作を繰り返すことにより（図４のステップＳ４０４）、パソコン１３はユーザが希望する複数のシーンに関する情報を取り込むことができる。パソコン１３では所定のアプリケーションを用いることにより、カムコーダ１より受信した各シーンに関する情報（即ち、各シーンの開始点と終了点の画像情報とタイムコード等の補助情報）をアイコン等を用いてモニタ画面上に分かりやすく表示する。ユーザは、モニタ画面上に表示されている各シーンの情報を見ながら複数のシーンを任意に選択して希望の順番に並べ替える。
【００６１】
ここで、編集作業を更に容易に進めるために、各シーンの並べ替えをマウスによるドラッグ＆ドロップ方式を用いて行うように制御することもできる。また、ユーザは編集される各シーンの順番を並べ替えると同時に、各シーンにおける再生動作（例えば、通常再生、２倍速再生、スロー再生、早送り、巻き戻し、特殊再生等）についても指定することができる。
【００６２】
このように制御することにより、パソコン１３は任意の順番に並べ替えられた各シーンのタイムコードを基に編集プログラムを作成することができる（図５のステップＳ５０４）。
【００６３】
編集プログラムの作成作業が終了した後、パソコン１３は該編集プログラムをカムコーダ１にデジタルＩ／Ｆケーブル１６を介して送信する（図５のステップＳ５０５）。カムコーダ１側では、受信した編集プログラムをデジタルＩ／Ｆ８を介して編集プログラム格納用メモリ１０に保持する（図４のステップＳ４０５及びステップＳ４０６）。
【００６４】
以上のような作業を行うことにより、カムコーダ１内に高度で複雑な編集作業を実行できる編集プログラムを容易に作成できる。
【００６５】
なお、本実施の形態では、ユーザの希望する各シーンを再生装置（カムコーダ１）側で指定するような構成としたが、編集装置が再生装置の動作を制御し、再生装置にて再生された画像信号を編集装置側のモニタに表示させ、編集装置側で希望する各シーンの選択を行える構成としてもよい。
【００６６】
次にユーザは、図６及び図７に示すような編集システムを構成した後、カムコーダ１と据置型ＶＴＲ１４とを操作して、編集プログラムに基づいた編集作業（ダビング編集作業）を行う。
【００６７】
即ち、初めにユーザは、カムコーダ１と記録装置である据置型ＶＴＲ１４とを、Ａ／Ｖ信号ケーブル１５を介して接続することにより編集システムを構成し、カムコーダ１の動作モードが「編集動作モード」となるように操作部９のモード切換スイッチを操作する。ここで、本実施の形態の「編集動作モード」は、カムコーダ１が据置型ＶＴＲ１４を制御し、カムコーダ１の記録媒体に記録された画像及び音声等の情報を、カムコーダ１内に保持されている前述の編集プログラムに基づいて自動的にダビング編集を行う動作モードである。
【００６８】
カムコーダ１は、ユーザにより「編集動作モード」が設定されると、リモコン発光部１１から制御信号を送信することにより、据置型ＶＴＲ１４の初期設定を行う。つまり、据置型ＶＴＲ１４は、装着された記録用の磁気テープに記録されている情報に基づき、該磁気テープを記録可能な位置まで移動させ、レコードポーズ（ＲＥＣＯＲＤ  ＰＡＵＳＥ）モードとなるように制御する。また、据置型ＶＴＲ１４がＡ／Ｖ信号ケーブル１５を介してカムコーダ１からの出力信号を入力して記録する外部入力モードとなるように制御する。
【００６９】
なお、上述した図６及び図７に示す編集システムでは、再生装置側であるカムコーダ１のリモコン発光部１１を、記録装置側である据置型ＶＴＲ１４のリモコン受光部１４ａに向けて制御信号１７を送信可能なように配置する。
【００７０】
据置型ＶＴＲ１４の初期設定が終了した後、カムコーダ１はメモリ１０に格納された編集プログラムに基づき、各シーンの再生動作を順次実行する。
【００７１】
まず、カムコーダ１は、編集プログラム内の位置情報（タイムコード等）が示す第１シーンの開始点まで磁気テープ２を搬送させ、その開始点で磁気テープ２を一時停止させる。その後、カムコーダ１は編集プログラムの指定する再生動作を開始すると共に、リモコン発光部１１から制御信号を送信し、据置型ＶＴＲ１４における第１シーンの記録の開始を指示する。次にカムコーダ１は、第１シーンの終了点まで再生を行った後、据置型ＶＴＲ１４の記録動作を一時停止させる制御信号を送信し、自身の再生動作を停止させる。
【００７２】
以上の動作を第２シーン以降も同様に実行する。
【００７３】
このように編集プログラムにより指定される全てのシーンに対してダビング編集を行うことにより、磁気テープ２に記録されている所望の画像情報及び音声情報を据置型ＶＴＲ１４により簡単且つ自動的にダビング編集することができる。
【００７４】
以上のように、本実施の形態によれば、編集装置であるパソコン１３と記録装置である据置型ＶＴＲ１４とが異なる部屋等の離れた場所に配置されていても、これらパソコン１３と据置型ＶＴＲ１４とを移動させることなく、高度で複雑な編集作業を簡単に行うことができる。特に、パソコン１３を編集装置として用いることにより、再生装置の有する各種の再生動作（通常再生、変速再生、特殊再生等）や特殊機能（ワイプ、オーバーラップ等のデジタルエフェクト機能）等を有効に使用した編集プログラムを簡単に作成できる。また、再生装置であるカムコーダ１自身が、このような編集プログラムに基づいて編集作業を自動的に行うことにより、複雑な編集作業も簡単に行うことができる。
【００７５】
（第２の実施の形態）
次に、本発明の第２の実施の形態について、図８を用いて説明する。なお、本実施の形態に係る再生装置及び記録装置は、上述した第１の実施の形態における図６及び図７と同一であるから、これら両図を流用して説明する。また、図８は、本実施の形態に係る再生装置であるカムコーダ１と記録装置である据置型ＶＴＲ１４とを接続した状態を示す図であり、同図において図７と同一部分には同一符号が付してある。
【００７６】
上述した第１の実施の形態では、据置型ＶＴＲ１４の動作を制御する制御信号を、リモコン発光部１１を介して送信していたが、本実施の形態では、図８に示すようにカムコーダ１と据置型ＶＴＲ１４とをＡ／Ｖケーブル１５及びデジタルＩ／Ｆケーブル１６を介して接続し、据置型ＶＴＲ１４の動作を制御する制御信号をデジタルＩ／Ｆ８を介して送信させるようにしたものである。
【００７７】
なお、本実施の形態におけるその他の構成は、上述した第１の実施の形態と同様であるから、その説明は省略する。
【００７８】
本実施の形態においても、上述した第１の実施の形態と同様の効果を奏することができる。
【００７９】
（第３の実施の形態）
次に、本発明の第３の実施の形態について、図９〜図１１を用いて説明する。なお、本実施の形態に係る再生装置におけるデジタル信号処理回路の構成は、上述した第１の実施の形態における図２と同一であるから、同図を流用して説明する。
【００８０】
図９は、本発明の第３の実施の形態に係る再生装置と編集装置とを接続してなる編集システムにより編集プログラムを作成する際の構成を示すブロック図、図１０は、本発明の第３の実施の形態に係る再生装置と編集装置とを接続した状態を示す図、図１１は、本発明の第３の実施の形態に係る再生装置と記録装置とを接続した状態を示す図である。
【００８１】
なお、図９において、上述した第１の実施の形態における図１と同一部分には同一部号が付してある。
【００８２】
上述した第１及び第２の実施の形態においては、Ａ／Ｖ入出力部５を用いて画像信号や音声信号を通信し、デジタルＩ／Ｆ８を介してタイムコード等の位置情報や編集プログラムを通信し、リモコン発光部１１を用いて記録装置である据置型ＶＴＲ１４を制御する制御信号を通信するように構成したが、これらの送信手段を全て１つのデジタルインターフェースを用いて実現することも可能である。その際に用いられるデジタルインターフェースは、各種のデジタル信号（本実施の形態では、画像信号、編集プログラム、制御信号等）を双方向に通信可能で、例えば、ＲＳ２３２Ｃ或いはＩＥＥＥ１３９４に準拠したデジタルインターフェースである。
【００８３】
本実施の形態では、図９に示すように再生装置であるカムコーダ８１のデジタルＩ／Ｆ８２にＩＥＥＥ１３９４−１９９５に準拠したデジタルインターフェースを用いた場合について説明する。
【００８４】
図９において、８３は、例えば、ＤＶケーブル等のＩＥＥＥ１３９４−１９９５に準拠したデジタルＩ／Ｆ（インターフェース）ケーブル、８４は編集装置であるパソコン８９の１３９４デジタルＩ／Ｆ（インターフェース）、８５はパソコン８９を制御する制御部で、マイクロコンピュータを含む。８６は編集プログラム作成時等に種々の指示を行う操作部、８７はデジタルＩ／Ｆ８４を介して入力された情報を表示に適した信号形態に処理するデジタル信号処理回路、８８は種々の情報を表示するモニタである。
【００８５】
次に、本実施の形態における具体的な編集プログラムの作成方法について説明する。
【００８６】
まず、ユーザは図１０に示すように編集システムを構成する。本実施の形態では、デジタルＩ／Ｆ８２，８４を介して必要な信号の通信を行うため、再生装置であるカムコーダ８１と編集装置であるパソコン８９とを１本のデジタルＩ／Ｆケーブルにより接続すればよい。
【００８７】
初めにユーザは、カムコーダ８１とパソコン８９とを接続し、カムコーダ８１とパソコン８９のそれぞれの動作モードが「編集プログラム作成モード」となるように操作部９と操作部８６とを操作する。ここで、本実施の形態の「編集プログラム作成モード」は、実際にカムコーダ８１が行う編集動作を指示する編集プログラムをパソコン８９にて作成し、その作成後に該編集プログラムをカムコーダ８１の具備する編集プログラム格納用のメモリ１０に保持させる動作モードである。
【００８８】
ユーザは、パソコン８９にて所定のアプリケーションを起動させ、カムコーダ８１の再生動作を制御する。カムコーダ８１のデジタル信号処理回路４は、磁気テープ２に記録されて圧縮された情報信号（動画像情報、音声情報）と、それに関連した補助情報（タイムコード等の位置情報或いはＩＤ等の画像を特定する情報を含む）を記録再生処理回路２０１（図２参照）にて再生する。再生された圧縮情報信号は、図２のメモリ２０２を介してデジタルＩ／Ｆ８２に入力され、補助情報はサブコード検出回路６を介してデジタルＩ／Ｆ８２に入力される。
【００８９】
デジタルＩ／Ｆ８２は、再生された動画像情報、音声情報及び補助情報を所定のデータ単位にパケッタイズ化し、所定の通信サイクル（例えば、１２５μｓ）期間ごとに同期転送（例えば、ＩＥＥＥ１３９４にて規定されたＩｓｏｃｈｒｏｎｏｕｓ転送）する。パソコン８９は、カムコーダ８１から送信された情報信号（動画像情報及び音声情報）をデジタルＩ／Ｆ８４で受信し、モニタ８８に表示する。
【００９０】
なお、パソコン８９のデジタル信号処理回路８７は図示しないメモリを有し、デジタルＩ／Ｆ８４を介して入力した画像情報及び音声情報を伸長して、モニタ８８に出力するもので、カムコーダ８１のデジタル信号処理回路４と同様の機能を有する。
【００９１】
ユーザは、モニタ８８の表示画面から希望するシーンを選択し、そのシーンの開始点と終了点とを操作部８６により指定する。制御部８５は、シーンの開始点が指定された時点でカムコーダ８１の再生動作をスチル（ＳＴＩＬＬ）モードとする制御信号をデジタルＩ／Ｆ８４を介して送信する。
【００９２】
本実施の形態では、カムコーダ８１とパソコン８９との間で送信される制御信号を非同期に転送する（例えば、ＩＥＥＥ１３９４にて規定されたＡｓｙｎｃｈｒｏｎｏｕｓ転送）。カムコーダ８１は、パソコン８９の制御に応じて開始点の画像（１フレーム分）と位置情報とを再生し、それぞれを関連付けてパソコン８９に送信する。
【００９３】
次にユーザは、パソコン８９の操作部８６を操作し、希望するシーンの終了点を指示する。カムコーダ８１の制御部７は、前述の開始点での処理と同様に、終了点における画像情報とそれに対応する位置情報（タイムコード等）をそれぞれパソコン８９に送信する。
【００９４】
以上のようにして、ユーザは希望するシーンの情報をパソコン８９に入力することができる。
【００９５】
上述の編集動作を繰り返すことにより、パソコン８９はユーザが希望する複数のシーンに関する情報を取り込むことができる。パソコン８９はカムコーダ８１から受信した各シーンに関する情報（即ち、各シーンの開始点と終了点の画像情報とタイムコード等の補助情報）をアイコン等を用いてモニタ８８上に分かりやすく表示する。ユーザは、モニタ８８の画面上に表示されている各シーンの情報を見ながら複数のシーンを任意に選択して希望の順番に並べ替える。
【００９６】
ここで、編集作業を更に容易に進めるために、各シーンの並べ替えをマウスによるドラッグ＆ドロップ方式を用いて行うように制御することもできる。また、ユーザは編集される各シーンの順番を並べ替えると同時に、各シーンにおける再生動作（例えば、通常再生、２倍速再生、スロー再生、早送り、巻き戻し、特殊再生等）についても指定することができる。
【００９７】
このように制御することにより、パソコン８９は任意の順番に並べ替えられた各シーンのタイムコードを基に編集プログラムを作成することができる。
【００９８】
編集プログラムの作成作業が終了した後、パソコン８９は該編集プログラムをカムコーダ１にデジタルＩ／Ｆ８４を介して非同期転送する（例えば、ＩＥＥＥ１３９４にて規定されたＡｓｙｎｃｈｒｏｎｏｕｓ転送）。カムコーダ８１側では、受信した編集プログラムをデジタルＩ／Ｆ８２を介して編集プログラム格納用のメモリ１０に保持する。
【００９９】
以上のような作業を行うことにより、カムコーダ８１内に高度で複雑な編集作業を実行できる編集プログラムを容易に作成できる。
【０１００】
次にユーザは、図１１に示すような編集システムを構成した後、カムコーダ８１と据置型ＶＴＲ９１とを操作して、編集プログラムに基づいた編集作業（ダビング編集作業）を行う。
【０１０１】
即ち、初めにユーザは、カムコーダ８１と記録装置である据置型ＶＴＲ（ビデオテープレコーダ）９１とを、デジタルＩ／Ｆケーブル８３を介して接続することにより編集システムを構成する。
【０１０２】
なお、据置型ＶＴＲ９１は、デジタルＩ／Ｆ８２と通信可能なデジタルＩ／Ｆを具備している。カムコーダ８１はメモリ１０に格納された編集プログラムに基づいて据置型ＶＴＲ９１の動作を制御し、上述した第１の実施の形態と同様の編集作業（ダビング編集）を行う。
【０１０３】
本実施の形態では、カムコーダ８１と据置型ＶＴＲ９１との間の通信を全てデジタルＩ／Ｆ８２を介して行う。従って、本実施の形態では、カムコーダ８１により再生された動画像信号、音声信号及び補助情報を所定の通信サイクル期間ごとに転送する同期転送（例えば、ＩＥＥＥ１３９４にて規定されたＩｓｏｃｈｒｏｎｏｕｓ転送）にて行う。また、カムコーダ８１が据置型ＶＴＲ９１の動作を制御するために送信する制御信号は、非同期転送（例えば、ＩＥＥＥ１３９４にて規定されたＡｓｙｎｃｈｒｏｎｏｕｓ転送）にて行う。
【０１０４】
以上のように本実施の形態によれば、編集装置であるパソコン８９と記録装置であるカムコーダ８１とが異なる部屋等の離れた場所に配置されていても、これらパソコン８９と据置型ＶＴＲ９１とを移動させることなく、高度で複雑な編集作業を簡単に行うことができる。特に、パソコン８９を編集装置として用いることにより、再生装置の有する各種の再生動作（通常再生、変速再生、特殊再生等）や特殊機能（ワイプ、オーバーラップ等のデジタルエフェクト機能）等を有効に使用した編集プログラムを簡単に作成できる。また、再生装置であるカムコーダ８１自身が、このような編集プログラムに基づいて編集作業を自動的に行うことにより、複雑な編集作業も簡単に行うことができる。更に、動画像信号や制御信号を１本のケーブルで双方向に通信可能なデジタルインターフェースをパソコン８９及び据置型ＶＴＲ９１にそれぞれ設けることにより、機器間の接続を簡単に分かりやすく行える。
【０１０５】
（その他の実施の形態）
なお、本発明は、その精神または主要な特徴から逸脱することなく、他の様々な形で実施することができる。
【０１０６】
例えば、上述した各実施の形態では、再生装置としてカムコーダ１，８１を用いたが、これに限られるものではなく、撮像部のない再生装置でもよい。また、記録媒体も磁気テープに限られるものではなく、磁気デイスク等でもよい。また、記録方式も、アナログ方式とデジタル方式のいずれであってもよい。また、上述した各実施の形態では、再生装置と接続する編集装置としてパソコン１３，８９を用いたが、これに限られるものではなく、ワードプロセッサ或いは専門の編集装置等でもよい。また、記録装置も据置型ＶＴＲ１４，，９１に限られるものではなく、カムコーダ等の記録手段を有する記録装置であれば何でもよい。
【０１０７】
更に、再生装置を、画像信号をプリント出力可能なプリンタに接続してもよい。この場合、編集装置は、再生装置の保持する画像信号（例えば、静止画像）と該画像信号の位置情報とを用いて、所望の画像に対する編集作業を指示するプログラム情報を生成して再生装置に送信する。ユーザは、前記プログラム情報を保持した再生装置をプリンタに接続することにより、該プログラム情報に基づいて自動的に所望の画像を編集してプリント出力することができる。
【０１０８】
従って、上述した各実施の形態は、あらゆる点で単なる例示にすぎず、限定的に解釈してはならない。
【０１０９】
本発明の範囲は、特許請求の範囲によって示すものであって、明細書本文には何等拘束されない。更に、特許請求の範囲の均等範囲に属する変形や変更は、全て本発明の範囲のものである。
【０１１０】
【発明の効果】
本発明の再生装置及び編集方法によれば、記録装置と編集装置とが離れた場所に配置されている場合であっても、それらの装置を移動させることなく複雑で高度な編集を簡単に行うことができる。
【図面の簡単な説明】
【図１】本発明の第１の実施の形態に係る再生装置と編集装置とを接続してなる編集システムにより編集プログラムを作成する際の構成を示すブロック図である。
【図２】本発明の第１の実施の形態に係る再生装置におけるデジタル信号処理回路の構成を示すブロック図である。
【図３】本発明の第１の実施の形態に係る再生装置と編集装置とを接続した状態を示す図である。
【図４】本発明の第１の実施の形態に係る再生装置と記録装置とを接続してなる編集システムにより編集プログラムを作成する際の動作を説明するためのフローチャートである。
【図５】本発明の第１の実施の形態に係る再生装置と記録装置とを接続してなる編集システムにより編集プログラムを作成する際の動作を説明するためのフローチャートである。
【図６】本発明の第１の実施の形態に係る再生装置と記録装置とを接続してなる編集システムによりダビング編集を行う場合の構成を示すブロック図である。
【図７】本発明の第１の実施の形態に係る再生装置と記録装置とを接続した状態を示す図である。
【図８】本発明の第２の実施の形態に係る再生装置と記録装置とを接続した状態を示す図である。
【図９】本発明の第３の実施の形態に係る再生装置と編集装置とを接続してなる編集システムにより編集プログラムを作成する際の構成を示すブロック図である。
【図１０】本発明の第３の実施の形態に係る再生装置と編集装置とを接続した状態を示す図である。
【図１１】本発明の第３の実施の形態に係る再生装置と記録装置とを接続した状態を示す図である。
【符号の説明】
１    カムコーダ（再生装置）
２    磁気テープ
３    ドライブ回路
４    デジタル信号処理回路
５    Ａ／Ｖ入出力部
６    サブコード検出回路
７    制御部
８    デジタルＩ／Ｆ
９    操作部
１０  メモリ
１１  リモコン発光部
１２  カメラ部
１３  編集装置（パソコン）
１４  記録装置（据置型ＶＴＲ）
１４ａリモコン受光部
１５  Ａ／Ｖ（オーディオ／ビデオ）ケーブル
１６  デジタルＩ／Ｆケーブル
１７  制御信号
８１  カムコーダ（再生装置）
８２  デジタルＩ／Ｆ
８３  デジタルＩ／Ｆケーブル
８４  デジタルＩ／Ｆ
８５  制御部
８６  操作部
８７  デジタル信号処理回路
８８  モニタ
８９  編集装置（パソコン）
９１  記録装置（据置型ＶＴＲ）
【図１】
0003950515.tif 000002
【図２】
0003950515.tif 000003
【図３】
0003950515.tif 000004
【図４】
0003950515.tif 000005
【図５】
0003950515.tif 000006
【図６】
0003950515.tif 000007
【図７】
0003950515.tif 000008
【図８】
0003950515.tif 000009
【図９】
0003950515.tif 000010
【図１０】
0003950515.tif 000011
【図１１】
0003950515.tif 000012